(57)【要約】【課題】  駐車場を利用する全ての利用者に対して、あまりコストをかけずに駐車位置を表示できるようにする。【解決手段】  駐車券発券機２は、利用者に対し、無線ICタグ41が内蔵された駐車券4であって、無線ICタグ41に固有の券番号が記録された駐車券4を発券すると共に、上記券番号が記録された番号券5を発券する。利用者は、車両を駐車させると、駐車券4は車内に置き、番号券5は携帯して車両から離れる。駐車場の各駐車スペースには、無線ICタグ41の記録内容を読み取る駐車位置センサ3-1〜3-nが配置されている。利用者は、駐車場に戻ると、番号券5の券番号を駐車位置表示装置1に入力する。駐車位置表示装置1は、入力された券番号と、各駐車位置センサ3-1〜3-nが読み取った券番号とに基づいて、上記券番号に対応する車両の駐車位置を特定し、表示部に駐車位置を表示する。【選択図】      図１
2006236027.tif 000002
【特許請求の範囲】
【請求項１】
駐車券発券機と、駐車スペースそれぞれに設置された駐車位置センサと、駐車位置表示装置とを備えた駐車位置表示システムであって、
前記駐車券発券機が、無線ＩＣタグが内蔵された駐車券であって、前記無線ＩＣタグに前記駐車券固有の券番号が記録された駐車券と、前記券番号が記録された番号券とを発券する構成を有し、
前記各駐車位置センサが、無線ＩＣタグに記録されている券番号を読み取る構成を有し、
前記駐車位置表示装置が、前記各駐車位置センサが読み取った券番号と、利用者によって入力された券番号とに基づいて、前記券番号に対応する車両の駐車位置を特定し、表示部に駐車位置を表示する構成を有することを特徴とする駐車位置表示システム。
【請求項２】
請求項１記載の駐車位置表示システムにおいて、
前記駐車位置表示装置が、
読み取り結果記憶部と、
表示部と、
利用者によって券番号が入力されたとき、前記各駐車位置センサの読み取り結果を前記読み取り結果記憶部に格納する質問手段と、
該質問手段によって前記各駐車位置センサの読み取り結果が前記読み取り結果記憶部に格納されたとき、前記読み取り結果記憶部に格納されている前記各駐車位置センサの読み取り結果と前記利用者によって入力された券番号とに基づいて前記券番号に対応する車両の駐車位置を特定し、前記表示部に駐車位置を表示する駐車位置表示手段とを備えたことを特徴とする駐車位置表示システム。
【請求項３】
請求項２記載の駐車位置表示システムにおいて、
前記質問手段が、前記各駐車位置センサの読み取り結果に対応付けて、その受信レベルを前記読み取り結果記憶部に格納する構成を有し、
前記駐車位置表示手段が、前記利用者によって入力された券番号と同一の券番号が前記読み取り結果記憶部に複数個格納されている場合は、その内の最も受信レベルが高い券番号に対応する駐車位置センサの設置位置を、前記券番号に対応する車両の駐車位置と特定する構成を有することを特徴とする駐車位置表示システム。
【請求項４】
請求項１記載の駐車位置表示システムにおいて、
読み取り結果記憶部と、
駐車位置記憶部と、
表示部と、
周期的に、前記各駐車位置センサの読み取り結果と受信レベルとを対応付けて前記読み取り結果記憶部に格納する質問手段と、
該質問手段によって、前記各駐車位置センサの読み取り結果および受信レベルが前記読み取り結果記憶部に格納される毎に、前記読み取り結果記憶部の内容に基づいて、複数の駐車位置センサによって読み取られている券番号に対応する車両の駐車位置を、前記複数の駐車位置センサの内の、最も受信レベルが高い駐車位置センサの設置位置と特定し、１台の駐車位置センサによってのみ読み取られている券番号に対応する車両の駐車位置を、前記駐車位置センサの設置位置と特定し、券番号と特定した駐車位置に関連する情報とを対応付けて前記駐車位置記憶部に格納する駐車位置判定手段と、
利用者によって券番号が入力されたとき、該券番号と前記駐車位置記憶部の内容とに基づいて、前記券番号に対応する車両の駐車位置を前記表示部に表示する駐車位置表示手段とを備えたことを特徴とする駐車位置表示システム。
【請求項５】
読み取り結果記憶部と、
表示部と、
利用者によって券番号が入力されたとき、各駐車スペースに設置されている駐車位置センサであって、駐車券に埋め込まれた無線ＩＣタグに記録されている券番号を読み取る駐車位置センサの読み取り結果を前記読み取り結果記憶部に格納する質問手段と、
該質問手段によって前記各駐車位置センサの読み取り結果が前記読み取り結果記憶部に格納されたとき、前記読み取り結果記憶部に格納されている前記各駐車位置センサの読み取り結果と前記利用者によって入力された券番号とに基づいて前記券番号に対応する車両の駐車位置を特定し、前記表示部に駐車位置を表示する駐車位置表示手段とを備えたことを特徴とする駐車位置表示装置。
【請求項６】
請求項５記載の駐車位置表示装置おいて、
前記質問手段が、前記各駐車位置センサの読み取り結果に対応付けて、その受信レベルを前記読み取り結果記憶部に格納する構成を有し、
前記駐車位置表示手段が、前記利用者によって入力された券番号と同一の券番号が前記読み取り結果記憶部に複数個格納されている場合は、その内の最も受信レベルが高い券番号に対応する駐車位置センサの設置位置を、前記券番号に対応する車両の駐車位置と特定する構成を有することを特徴とする駐車位置表示装置。
【請求項７】
読み取り結果記憶部と、
駐車位置記憶部と、
表示部と、
周期的に、各駐車スペースに設置されている駐車位置センサであって、駐車券に埋め込まれた無線ＩＣタグに記録されている券番号を読み取る駐車位置センサの読み取り結果と受信レベルとを対応付けて前記読み取り結果記憶部に格納する質問手段と、
該質問手段によって、前記各駐車位置センサの読み取り結果および受信レベルが前記読み取り結果記憶部に格納される毎に、前記読み取り結果記憶部の内容に基づいて、複数の駐車位置センサによって読み取られている券番号に対応する車両の駐車位置を、前記複数の駐車位置センサの内の、最も受信レベルが高い駐車位置センサの設置位置と特定し、１台の駐車位置センサによってのみ読み取られている券番号に対応する車両の駐車位置を、前記駐車位置センサの設置位置と特定し、券番号と特定した駐車位置に関連する情報とを対応付けて前記駐車位置記憶部に格納する駐車位置判定手段と、
利用者によって券番号が入力されたとき、該券番号と前記駐車位置記憶部の内容とに基づいて、前記券番号に対応する車両の駐車位置を前記表示部に表示する駐車位置表示手段とを備えたことを特徴とする駐車位置表示装置。
【請求項８】
利用者によって券番号が入力されたとき、質問手段が、各駐車スペースに設置されている駐車位置センサであって、駐車券に埋め込まれた無線ＩＣタグに記録されている券番号を読み取る駐車位置センサの読み取り結果を読み取り結果記憶部に格納し、
前記質問手段によって前記各駐車位置センサの読み取り結果が前記読み取り結果記憶部に格納されたとき、駐車位置表示手段が、前記読み取り結果記憶部に格納されている前記各駐車位置センサの読み取り結果と前記利用者によって入力された券番号とに基づいて前記券番号に対応する車両の駐車位置を特定し、表示部に駐車位置を表示することを特徴とする駐車位置表示方法。
【請求項９】
請求項８記載の駐車位置表示方法おいて、
前記質問手段が、前記各駐車位置センサの読み取り結果に対応付けて、その受信レベルを前記読み取り結果記憶部に格納し、
前記駐車位置表示手段が、前記利用者によって入力された券番号と同一の券番号が前記読み取り結果記憶部に複数個格納されている場合は、その内の最も受信レベルが高い券番号に対応する駐車位置センサの設置位置を、前記券番号に対応する車両の駐車位置と特定することを特徴とする駐車位置表示方法。
【請求項１０】
質問手段が、周期的に、各駐車スペースに設置されている駐車位置センサであって、駐車券に埋め込まれた無線ＩＣタグに記録されている券番号を読み取る駐車位置センサの読み取り結果と受信レベルとを対応付けて読み取り結果記憶部に格納し、
前記質問手段によって、前記各駐車位置センサの読み取り結果および受信レベルが前記読み取り結果記憶部に格納される毎に、駐車位置判定手段が、前記読み取り結果記憶部の内容に基づいて、複数の駐車位置センサによって読み取られている券番号に対応する車両の駐車位置を、前記複数の駐車位置センサの内の、最も受信レベルが高い駐車位置センサの設置位置と特定し、１台の駐車位置センサによってのみ読み取られている券番号に対応する車両の駐車位置を、前記駐車位置センサの設置位置と特定し、券番号と特定した駐車位置に関連する情報とを対応付けて駐車位置記憶部に格納し、
利用者によって券番号が入力されたとき、駐車位置表示手段が、前記券番号と前記駐車位置記憶部の内容とに基づいて、前記券番号に対応する車両の駐車位置を表示部に表示することを特徴とする駐車位置表示方法。
【請求項１１】
読み取り結果記憶部と、表示部とを備えたコンピュータを、
利用者によって券番号が入力されたとき、各駐車スペースに設置されている駐車位置センサであって、駐車券に埋め込まれた無線ＩＣタグに記録されている券番号を読み取る駐車位置センサの読み取り結果を前記読み取り結果記憶部に格納する質問手段、
該質問手段によって前記各駐車位置センサの読み取り結果が前記読み取り結果記憶部に格納されたとき、前記読み取り結果記憶部に格納されている前記各駐車位置センサの読み取り結果と前記利用者によって入力された券番号とに基づいて前記券番号に対応する車両の駐車位置を特定し、前記表示部に駐車位置を表示する駐車位置表示手段として機能させるためのプログラム。
【請求項１２】
請求項１１記載のプログラムにおいて、
前記質問手段が、前記各駐車位置センサの読み取り結果に対応付けて、その受信レベルを前記読み取り結果記憶部に格納する構成を有し、
前記駐車位置表示手段が、前記利用者によって入力された券番号と同一の券番号が前記読み取り結果記憶部に複数個格納されている場合は、その内の最も受信レベルが高い券番号に対応する駐車位置センサの設置位置を、前記券番号に対応する車両の駐車位置と特定する構成を有することを特徴とするプログラム。
【請求項１３】
読み取り結果記憶部と、駐車位置記憶部と、表示部とを備えたコンピュータを、
周期的に、各駐車スペースに設置されている駐車位置センサであって、駐車券に埋め込まれた無線ＩＣタグに記録されている券番号を読み取る駐車位置センサの読み取り結果と受信レベルとを対応付けて前記読み取り結果記憶部に格納する質問手段、
該質問手段によって、前記各駐車位置センサの読み取り結果および受信レベルが前記読み取り結果記憶部に格納される毎に、前記読み取り結果記憶部の内容に基づいて、複数の駐車位置センサによって読み取られている券番号に対応する車両の駐車位置を、前記複数の駐車位置センサの内の、最も受信レベルが高い駐車位置センサの設置位置と特定し、１台の駐車位置センサによってのみ読み取られている券番号に対応する車両の駐車位置を、前記駐車位置センサの設置位置と特定し、券番号と特定した駐車位置に関連する情報とを対応付けて前記駐車位置記憶部に格納する駐車位置判定手段、
利用者によって券番号が入力されたとき、該券番号と前記駐車位置記憶部の内容とに基づいて、前記券番号に対応する車両の駐車位置を前記表示部に表示する駐車位置表示手段として機能させるためのプログラム。
【発明の詳細な説明】
【技術分野】
【０００１】
本発明は、駐車場に戻ってきた利用者が、自車両の駐車位置を容易に認識することができる駐車位置表示技術に関し、特に、利用者に対して無線ＩＣタグが内蔵された駐車券を発券し、この駐車券を利用して利用者の車両の位置を検出する駐車位置表示技術に関する。
【背景技術】
【０００２】
大規模な駐車場を利用した利用者の中には、自車両の駐車位置が分からなくなり、自車両を探し出すために多くの時間を費やしてしまったという経験を持つ者が多数存在し、このような利用者から自車両の駐車位置を確認するシステムが要望されている。このような要望に応えるため、従来から、次にような技術が提案されている（例えば、特許文献１，２参照）。
【０００３】
特許文献１に記載されている従来の技術は、入場時にカード番号や入場時刻などを記録したカードを利用者に対して発券し、このカードの発券対象となった車両の駐車位置を、駐車場内に設置された複数台の固定カメラと、各駐車スペースに設置された車両センサとを利用して特定し、駐車位置とカード番号とを対応付けて記憶部に登録しておく。そして、駐車場に戻った利用者がカード番号を入力すると、このカード番号をキーにして記憶部から駐車位置を検索し、検索した駐車位置を表示装置に表示する。
【０００４】
また、特許文献２に記載されている従来の技術は、車両番号が記録された無線ＩＣタグを車両キーに取り付けておくと共に、各駐車スペースに車両データ読み取り装置を設置しておく。車両データ読み取り装置は、自装置が設置されている駐車スペースに車両が置かれると、車両キーに取り付けられている無線ＩＣタグから車両番号を読み取り、自装置の位置情報と共に駐車位置案内装置へ送る。駐車位置案内装置は、車両データ読み取り装置から送られてきた車両番号と位置情報とを対応付けてメモリに格納する。駐車場に戻った利用者によって車両番号が入力されると、駐車位置案内装置は、メモリから上記車両番号と対応付けて登録されている位置情報を取得し、この位置情報に基づいて表示装置に車両の駐車位置を表示する。
【特許文献１】特開平８−１２４０９７号公報
【特許文献２】特開２００４−２０６１９９号公報
【発明の開示】
【発明が解決しようとする課題】
【０００５】
上述した特許文献１に記載されている従来の技術は、駐車位置を検出するために、複数台のカメラと、各駐車スペース毎の車両センサとが必要になるため、コストがかかるという問題がある。また、特許文献２に記載されている従来の技術は、カメラを必要としないため、コストを抑えることはできるが、車両キーに取り付けられている無線ＩＣタグに基づいて駐車位置を特定するようにしているため、無線ＩＣタグ付きの車両キーを所有している利用者しか利用できないという問題があった。
【０００６】
〔発明の目的〕
そこで、本発明の目的は、駐車場を利用する全ての利用者に対して、あまりコストをかけずに駐車位置を認識させられるようにすることにある。
【課題を解決するための手段】
【０００７】
本発明にかかる第１の駐車位置表示システムは、
駐車券発券機と、駐車スペースそれぞれに設置された駐車位置センサと、駐車位置表示装置とを備えた駐車位置表示システムであって、
前記駐車券発券機が、無線ＩＣタグが内蔵された駐車券であって、前記無線ＩＣタグに前記駐車券固有の券番号が記録された駐車券と、前記券番号が記録された番号券とを発券する構成を有し、
前記各駐車位置センサが、無線ＩＣタグに記録されている券番号を読み取る構成を有し、
前記駐車位置表示装置が、前記各駐車位置センサが読み取った券番号と、利用者によって入力された券番号とに基づいて、前記券番号に対応する車両の駐車位置を特定し、表示部に駐車位置を表示する構成を有することを特徴とする。
【０００８】
本発明にかかる第２の駐車位置表示システムは、第１の駐車位置表示システムにおいて、
前記駐車位置表示装置が、
読み取り結果記憶部と、
表示部と、
利用者によって券番号が入力されたとき、前記各駐車位置センサの読み取り結果を前記読み取り結果記憶部に格納する質問手段と、
該質問手段によって前記各駐車位置センサの読み取り結果が前記読み取り結果記憶部に格納されたとき、前記読み取り結果記憶部に格納されている前記各駐車位置センサの読み取り結果と前記利用者によって入力された券番号とに基づいて前記券番号に対応する車両の駐車位置を特定し、前記表示部に駐車位置を表示する駐車位置表示手段とを備えたことを特徴とする。
【０００９】
本発明にかかる第３の駐車位置表示システムは、第２の駐車位置表示システムにおいて、
前記質問手段が、前記各駐車位置センサの読み取り結果に対応付けて、その受信レベルを前記読み取り結果記憶部に格納する構成を有し、
前記駐車位置表示手段が、前記利用者によって入力された券番号と同一の券番号が前記読み取り結果記憶部に複数個格納されている場合は、その内の最も受信レベルが高い券番号に対応する駐車位置センサの設置位置を、前記券番号に対応する車両の駐車位置と特定する構成を有することを特徴とする。
【００１０】
本発明にかかる第４の駐車位置表示システムは、第１の駐車位置表示システムにおいて、
読み取り結果記憶部と、
駐車位置記憶部と、
表示部と、
周期的に、前記各駐車位置センサの読み取り結果と受信レベルとを対応付けて前記読み取り結果記憶部に格納する質問手段と、
該質問手段によって、前記各駐車位置センサの読み取り結果および受信レベルが前記読み取り結果記憶部に格納される毎に、前記読み取り結果記憶部の内容に基づいて、複数の駐車位置センサによって読み取られている券番号に対応する車両の駐車位置を、前記複数の駐車位置センサの内の、最も受信レベルが高い駐車位置センサの設置位置と特定し、１台の駐車位置センサによってのみ読み取られている券番号に対応する車両の駐車位置を、前記駐車位置センサの設置位置と特定し、券番号と特定した駐車位置に関連する情報とを対応付けて前記駐車位置記憶部に格納する駐車位置判定手段と、
利用者によって券番号が入力されたとき、該券番号と前記駐車位置記憶部の内容とに基づいて、前記券番号に対応する車両の駐車位置を前記表示部に表示する駐車位置表示手段とを備えたことを特徴とする。
【００１１】
本発明にかかる第１の駐車位置表示装置は、
読み取り結果記憶部と、
表示部と、
利用者によって券番号が入力されたとき、各駐車スペースに設置されている駐車位置センサであって、駐車券に埋め込まれた無線ＩＣタグに記録されている券番号を読み取る駐車位置センサの読み取り結果を前記読み取り結果記憶部に格納する質問手段と、
該質問手段によって前記各駐車位置センサの読み取り結果が前記読み取り結果記憶部に格納されたとき、前記読み取り結果記憶部に格納されている前記各駐車位置センサの読み取り結果と前記利用者によって入力された券番号とに基づいて前記券番号に対応する車両の駐車位置を特定し、前記表示部に駐車位置を表示する駐車位置表示手段とを備えたことを特徴とする。
【００１２】
本発明にかかる第２の駐車位置表示装置は、第１の駐車位置表示装置おいて、
前記質問手段が、前記各駐車位置センサの読み取り結果に対応付けて、その受信レベルを前記読み取り結果記憶部に格納する構成を有し、
前記駐車位置表示手段が、前記利用者によって入力された券番号と同一の券番号が前記読み取り結果記憶部に複数個格納されている場合は、その内の最も受信レベルが高い券番号に対応する駐車位置センサの設置位置を、前記券番号に対応する車両の駐車位置と特定する構成を有することを特徴とする。
【００１３】
本発明にかかる第３の駐車位置表示装置は、
読み取り結果記憶部と、
駐車位置記憶部と、
表示部と、
周期的に、各駐車スペースに設置されている駐車位置センサであって、駐車券に埋め込まれた無線ＩＣタグに記録されている券番号を読み取る駐車位置センサの読み取り結果と受信レベルとを対応付けて前記読み取り結果記憶部に格納する質問手段と、
該質問手段によって、前記各駐車位置センサの読み取り結果および受信レベルが前記読み取り結果記憶部に格納される毎に、前記読み取り結果記憶部の内容に基づいて、複数の駐車位置センサによって読み取られている券番号に対応する車両の駐車位置を、前記複数の駐車位置センサの内の、最も受信レベルが高い駐車位置センサの設置位置と特定し、１台の駐車位置センサによってのみ読み取られている券番号に対応する車両の駐車位置を、前記駐車位置センサの設置位置と特定し、券番号と特定した駐車位置に関連する情報とを対応付けて前記駐車位置記憶部に格納する駐車位置判定手段と、
利用者によって券番号が入力されたとき、該券番号と前記駐車位置記憶部の内容とに基づいて、前記券番号に対応する車両の駐車位置を前記表示部に表示する駐車位置表示手段とを備えたことを特徴とする。
【００１４】
本発明にかかる第１の駐車位置表示方法は、
利用者によって券番号が入力されたとき、質問手段が、各駐車スペースに設置されている駐車位置センサであって、駐車券に埋め込まれた無線ＩＣタグに記録されている券番号を読み取る駐車位置センサの読み取り結果を読み取り結果記憶部に格納し、
前記質問手段によって前記各駐車位置センサの読み取り結果が前記読み取り結果記憶部に格納されたとき、駐車位置表示手段が、前記読み取り結果記憶部に格納されている前記各駐車位置センサの読み取り結果と前記利用者によって入力された券番号とに基づいて前記券番号に対応する車両の駐車位置を特定し、表示部に駐車位置を表示することを特徴とする。
【００１５】
本発明にかかる第２の駐車位置表示方法は、第１の駐車位置表示方法おいて、
前記質問手段が、前記各駐車位置センサの読み取り結果に対応付けて、その受信レベルを前記読み取り結果記憶部に格納し、
前記駐車位置表示手段が、前記利用者によって入力された券番号と同一の券番号が前記読み取り結果記憶部に複数個格納されている場合は、その内の最も受信レベルが高い券番号に対応する駐車位置センサの設置位置を、前記券番号に対応する車両の駐車位置と特定することを特徴とする駐車位置表示方法。
【００１６】
本発明にかかる第３の駐車位置表示方法は、
質問手段が、周期的に、各駐車スペースに設置されている駐車位置センサであって、駐車券に埋め込まれた無線ＩＣタグに記録されている券番号を読み取る駐車位置センサの読み取り結果と受信レベルとを対応付けて読み取り結果記憶部に格納し、
前記質問手段によって、前記各駐車位置センサの読み取り結果および受信レベルが前記読み取り結果記憶部に格納される毎に、駐車位置判定手段が、前記読み取り結果記憶部の内容に基づいて、複数の駐車位置センサによって読み取られている券番号に対応する車両の駐車位置を、前記複数の駐車位置センサの内の、最も受信レベルが高い駐車位置センサの設置位置と特定し、１台の駐車位置センサによってのみ読み取られている券番号に対応する車両の駐車位置を、前記駐車位置センサの設置位置と特定し、券番号と特定した駐車位置に関連する情報とを対応付けて駐車位置記憶部に格納し、
利用者によって券番号が入力されたとき、駐車位置表示手段が、前記券番号と前記駐車位置記憶部の内容とに基づいて、前記券番号に対応する車両の駐車位置を表示部に表示することを特徴とする。
【００１７】
本発明にかかる第１のプログラムは、
読み取り結果記憶部と、表示部とを備えたコンピュータを、
利用者によって券番号が入力されたとき、各駐車スペースに設置されている駐車位置センサであって、駐車券に埋め込まれた無線ＩＣタグに記録されている券番号を読み取る駐車位置センサの読み取り結果を前記読み取り結果記憶部に格納する質問手段、
該質問手段によって前記各駐車位置センサの読み取り結果が前記読み取り結果記憶部に格納されたとき、前記読み取り結果記憶部に格納されている前記各駐車位置センサの読み取り結果と前記利用者によって入力された券番号とに基づいて前記券番号に対応する車両の駐車位置を特定し、前記表示部に駐車位置を表示する駐車位置表示手段として機能させる。
【００１８】
本発明にかかる第２のプログラムは、第１のプログラムにおいて、
前記質問手段が、前記各駐車位置センサの読み取り結果に対応付けて、その受信レベルを前記読み取り結果記憶部に格納する構成を有し、
前記駐車位置表示手段が、前記利用者によって入力された券番号と同一の券番号が前記読み取り結果記憶部に複数個格納されている場合は、その内の最も受信レベルが高い券番号に対応する駐車位置センサの設置位置を、前記券番号に対応する車両の駐車位置と特定する構成を有することを特徴とする。
【００１９】
本発明にかかる第３のプログラムは、
読み取り結果記憶部と、駐車位置記憶部と、表示部とを備えたコンピュータを、
周期的に、各駐車スペースに設置されている駐車位置センサであって、駐車券に埋め込まれた無線ＩＣタグに記録されている券番号を読み取る駐車位置センサの読み取り結果と受信レベルとを対応付けて前記読み取り結果記憶部に格納する質問手段、
該質問手段によって、前記各駐車位置センサの読み取り結果および受信レベルが前記読み取り結果記憶部に格納される毎に、前記読み取り結果記憶部の内容に基づいて、複数の駐車位置センサによって読み取られている券番号に対応する車両の駐車位置を、前記複数の駐車位置センサの内の、最も受信レベルが高い駐車位置センサの設置位置と特定し、１台の駐車位置センサによってのみ読み取られている券番号に対応する車両の駐車位置を、前記駐車位置センサの設置位置と特定し、券番号と特定した駐車位置に関連する情報とを対応付けて前記駐車位置記憶部に格納する駐車位置判定手段、
利用者によって券番号が入力されたとき、該券番号と前記駐車位置記憶部の内容とに基づいて、前記券番号に対応する車両の駐車位置を前記表示部に表示する駐車位置表示手段として機能させる。
【００２０】
〔作用〕
駐車券発券機は、駐車場を利用する利用者に対し、無線ＩＣタグが内蔵された駐車券であって、無線ＩＣタグに駐車券固有の券番号が記録された駐車券を発券すると共に、上記券番号が記録された番号券を発券する。利用者は、駐車スペースに車両を駐車させると、駐車券は車内に置き、番号券は携帯して車両から離れる。駐車場の各駐車スペースには、それぞれ無線ＩＣタグに記録されている券番号を読み取る駐車位置センサが配置されている。
【００２１】
利用者は、駐車場に戻ると、番号券に記録されている券番号を駐車位置表示装置に入力する。これにより、駐車位置表示装置は、各駐車位置センサが読み取った券番号と、利用者が入力した券番号とに基づいて、上記券番号に対応する車両の駐車位置を特定し、表示部に表示する。
【発明の効果】
【００２２】
本発明によれば、駐車場を利用する全ての利用者に対して、あまりコストをかけずに駐車位置を認識させることが可能になる。コストがあまりかからない理由は、駐車位置を検出するために必要になるセンサが、無線ＩＣタグに記録されている券番号を読み取る駐車位置センサだけで良いからである。即ち、特許文献１に記載されている従来の技術のように、カメラと車両センサといった２種類のセンサを必要としないので、コストを抑えることが可能になる。また、駐車場を利用する全ての利用者に対して、自身の車両の駐車位置を認識させることが可能になる理由は、無線ＩＣタグを埋め込んだ駐車券を利用して駐車位置を検出するようにしており、特許文献２に記載されている従来の技術のように、特定の利用者しか所有していない無線ＩＣタグ付き車両キーが不要であるからである。
【発明を実施するための最良の形態】
【００２３】
次に本発明の実施の形態について図面を参照して詳細に説明する。
【００２４】
〔第１の実施の形態の構成〕
図１は本発明にかかる駐車位置表示システムの第１の実施の形態の全体構成例を示すブロック図であり、駐車位置表示装置１と、駐車券発券機２と，ｎ個の駐車位置センサ３−１〜３−ｎから構成されている。
【００２５】
駐車券発券機２は、駐車場の利用者に対して駐車券４および番号券５を発券する装置であり、その外観を図２に示す。
【００２６】
駐車券４には、無線ＩＣタグ４１が埋め込まれており、この無線ＩＣタグ４１には駐車券４を一意に識別するための券番号が電気的に記録されている。また、駐車券４の印刷面には、無線ＩＣタグ４１に記録されている券番号と同一の券番号が印刷されている。
【００２７】
駐車券４と同時に発券される番号券５には、駐車券４に記録されている券番号と同一の券番号が記録されている。券番号の記録方法は、数字やバーコードを印刷する方法であっても、磁気テープに磁気的に記録する方法であっても構わない。なお、番号券５は、利用者が車両から離れる際、利用者に携帯される。これに対して、駐車券４は、利用者が車両から離れる際、車両内に置かれる。
【００２８】
図３は駐車券発券機２の構成例を示すブロック図であり、発券ボタン２１と、発券制御手段２２と、券番号記憶部２３と、印字手段２４と、書き込み手段２５と、駐車券ストア部２６と、番号券ストア部２７と、搬送手段２８と、発券口２９とを備えている。
【００２９】
発券ボタン２１は、利用者が、駐車券４および番号券５の発券を要求する際に操作するボタンである。
【００３０】
券番号記憶部２３には、発券する駐車券４，番号券５に記録する券番号が記録されている。
【００３１】
駐車券ストア部２６，番号券ストア部２７には、未使用（未発券）の駐車券４，番号券５がストアされている。
【００３２】
発券制御手段２２は、発券ボタン２１が操作されると、無線ＩＣタグ４１に券番号を書き込む書き込み手段２５と、駐車券ストア部２６，番号券ストア部２７にストアされている駐車券４，番号券５を搬送する搬送手段２８と、駐車券４，番号券５に券番号を印字する印字手段２４とを制御し、印刷面，無線ＩＣタグ４１に券番号が記録された駐車券４と、印刷面に上記券番号が記録された番号券５とを発券する機能を有する。なお、駐車券４，番号券５に記録する券番号は、券番号記憶部２３に記録されている券番号とし、駐車券４，番号券５を発券後、券番号記憶部２３に記録されている券番号をインクリメント（例えば、＋１）する。
【００３３】
駐車位置センサ３−１〜３−ｎは、駐車場の各駐車スペースに設置され、無線ＩＣタグ４１に記録されている券番号を非接触で読み取るセンサである。駐車位置センサ３−１の設置位置は、例えば、図４に示すように、車両３１の車止め内とすることができる。なお、本実施の形態では、各駐車位置センサ３−１〜３−ｎには、それぞれセンサ番号ＳＥＮ１〜ＳＥＮｎが付与されているとする。
【００３４】
駐車位置表示装置１は、利用者の車両の駐車位置を表示する装置であり、その外観を図５に示す。利用者によって挿入口１０２に番号券５が挿入されると、駐車位置表示装置１は、表示部１０１に利用者の車両の駐車位置を表示する。
【００３５】
図６は、駐車位置表示装置１の構成例を示すブロック図であり、表示部１０１と、番号券５の挿入口１０２と、券番号読み取り手段１０３と、質問手段１０４と、送受信手段１０５と、切り替え手段１０６と、読み取り結果記憶部１０７と、券番号レジスタ１１０を有する駐車位置表示手段１０８と、センサ番号表示位置対応テーブル１０９とを備えている。
【００３６】
券番号読み取り手段１０３は、挿入口１０２から挿入された番号券５に印字されている券番号を読み取る機能を有する。更に、券番号読み取り手段１０３は、番号券５に記録されている券番号を読み取った際、質問手段１０４を起動する機能や、駐車位置表示手段１０８に読み取った券番号を渡す機能も有する。
【００３７】
切り替え手段１０６は、質問手段１０４から制御され、駐車位置センサ３−1〜３−ｎの内の１つを送受信手段１０５に接続する機能を有する。
【００３８】
質問手段１０４は、券番号読み取り手段１０３から起動されることにより、送受信手段１０５及び切り替え手段１０６を介して、各駐車位置センサ３−１〜３−ｎに対して順次質問信号を送信し、この質問信号に応答して各駐車位置センサ３−１〜３−ｎから送られてくる読み取り結果（無線ＩＣタグ４１から読み取った券番号あるいは読み取り失敗を示す情報）と、その受信レベルとを対応付けて読み取り結果記憶部１０７の該当する領域に登録する機能を有する。図７に読み取り結果記憶部１０７の内容例を示す。同図に示すように、読み取り結果記憶部１０７は、ｎ個の領域＃１〜＃ｎから構成され、各領域＃１〜＃ｎは、それぞれ駐車位置センサ３−１〜３−ｎと対応する領域となっている。例えば、第１番目の領域＃１には、駐車位置センサ３−１のセンサ番号ＳＥＮ１と、駐車位置センサ３−１が無線ＩＣタグ４１から読み取った券番号Ｋ１と、受信レベルＬ１とが登録されている。
【００３９】
駐車位置表示手段１０８は、券番号読み取り手段１０３から渡された券番号を券番号レジスタ１１０に保持する機能や、読み取り結果記憶部１０７の内容と、センサ番号表示位置対応テーブル１０９の内容と、券番号レジスタ１１０に保持している券番号とに基づいて、例えば、図５に示すように、表示部１０１に組み込まれている駐車場内地図上に、駐車マーク（星印）で該当車両の駐車位置を表示する機能を有する。図８にセンサ番号表示位置対応テーブル１０９の内容例を示す。同図に示すように、センサ番号ＳＥＮ１〜ＳＥＮｎに対応付けて、表示部１０１上に表示する駐車マーク表示位置（ｘ１，ｙ１）〜（ｘｎ，ｙｎ）が登録されている。なお、表示位置は、駐車マークの中心位置を示している。
【００４０】
駐車位置表示装置１は、コンピュータによって実現可能であり、コンピュータによって実現する場合は、例えば、次のようにする。コンピュータを駐車位置表示装置１として機能させるためのプログラムを記録したディスク，半導体メモリ，その他の記録媒体を用意し、コンピュータに上記プログラムを読み取らせる。コンピュータは、読み取ったプログラムに従って自身の動作を制御することにより、自コンピュータ上に、質問手段１０４，駐車位置表示手段１０８を実現する。
【００４１】
〔第１の実施の形態の動作〕
次に、本実施の形態の動作について説明する。
【００４２】
駐車場を利用する際、利用者は、先ず駐車券発券機２の発券ボタン２１を操作する。これにより、発券制御手段２２が書き込み手段２５，印字手段２４，搬送手段２８を利用して、無線ＩＣタグ４１を内蔵した駐車券４および番号券５を発券する。なお、駐車券４の印刷面には、券番号が印字され、無線ＩＣタグ４１には、上記券番号が電気的に記録されている。また、番号券５の印刷面にも、上記券番号が印字されている。
【００４３】
駐車券４および番号券５を受け取った利用者は、車両を運転し、空いている駐車スペースを探し、車両を駐車する。この後、利用者は、駐車券４を車両内に置き、番号券５を携帯して車両から離れる。
【００４４】
用事を終えて駐車場に戻った利用者は、駐車位置表示装置１の挿入口１０２に番号券５を挿入する。
【００４５】
券番号読み取り手段１０３は、番号券５が挿入されると、番号券５に印字されている券番号を読み取り、駐車位置表示手段１０８に渡すと共に、質問手段１０４を起動する。なお、券番号読み取り手段１０３の代わりにテンキー等を設け、利用者がテンキー等から券番号を入力するようにしても良い。
【００４６】
駐車位置表示手段１０８は、券番号読み取り手段１０３から券番号が渡されると、それを券番号レジスタ１１０に保持する。
【００４７】
一方、質問手段１０４は、起動されると、図９のフローチャートに示すように、駐車位置センサ３−１に質問信号を送信する（ステップＳ９１，Ｓ９２）。これにより、駐車位置センサ３−１は、無線ＩＣタグ４１に対する読み取り動作を行い、読み取り結果を駐車位置表示装置１に返す。
【００４８】
駐車位置表示装置１は、駐車位置センサ３−１から読み取り結果（券番号あるいは読み取り失敗を示す情報）が送られてくると、読み取り結果と受信レベルとを対応付けて、読み取り結果記憶部１０７の第１番目の領域＃１に登録する（ステップＳ９３）。その後、質問手段１０４は、駐車位置センサ３−２を対象にして前述した処理と同様の処理を行う（ステップＳ９４，Ｓ９２，Ｓ９３）。そして、同様の処理を最後の駐車位置センサ３−ｎまで行うと（ステップＳ９５がＹＥＳ）、質問手段１０４は、駐車位置表示手段１０８に対して処理完了を通知する（ステップＳ９６）。
【００４９】
駐車位置表示手段１０８は、質問手段１０４から処理完了が通知されると、図１０のフローチャートに示すように、読み取り結果記憶部１０７から券番号レジスタ１１０に保持されている券番号と同一の券番号が格納されている領域を全て検索する（ステップＳ１０１）。その後、駐車位置表示手段１０８は、ステップＳ１０１で検索した領域の中から、そこに格納されている受信レベルが最も高い領域を１つ選択する（ステップＳ１０２）。このステップＳ１０２の処理は、複数の駐車位置センサによって同一の券番号が読み取られた場合に、受信レベルの最も高かった駐車位置センサの設置場所を、該当車両の駐車場所とするために行う処理である。
【００５０】
その後、駐車位置表示手段１０８は、ステップＳ１０２で選択した領域に格納されているセンサ番号をキーにしてセンサ番号表示位置対応テーブル１０９を検索し（ステップＳ１０３）、該当する車両の駐車位置を示す駐車マークの表示位置を取得し、取得した表示位置に、図５に示すように、駐車マークを表示する（ステップＳ１０４）。なお、駐車位置表示装置１に赤外線センサなどを設け、利用者が駐車位置表示装置１から離れたことを検出した場合、駐車マークを消すようにしても良い。
【００５１】
〔第１の実施の形態の効果〕
本実施の形態によれば、駐車場を利用する全ての利用者に対して、あまりコストをかけずに駐車位置を認識させることが可能になる。
【００５２】
コストがあまりかからない理由は、駐車位置を検出するために必要になるセンサが、無線ＩＣタグ４１に記録されている券番号を読み取る駐車位置センサ３−１〜３−ｎだけで良いからである。即ち、特許文献１に記載されている従来の技術のように、カメラと車両センサといった２種類のセンサを必要としないので、コストを抑えることが可能になる。また、駐車場を利用する全ての利用者に対して、自身の車両の駐車位置を認識させることが可能になる理由は、無線ＩＣタグ４１を埋め込んだ駐車券４を利用して位置を検出するようにしており、特許文献２に記載されている従来の技術のように、特定の利用者しか所有していない無線ＩＣタグ付き車両キーが不要であるからである。
【００５３】
また、本実施の形態によれば、複数の駐車位置センサによって同一の券番号が読み取られた場合であっても、駐車位置を特定することが可能になる。
【００５４】
その理由は、駐車位置表示手段１０８が、利用者によって入力された券番号と同一の券番号が読み取り結果記憶部１０７に複数個格納されている場合は、その内の最も受信レベルが高い券番号に対応する駐車位置センサの設置位置を、上記券番号に対応する車両の駐車位置と特定するようにしているからである。
【００５５】
〔第２の実施の形態〕
次に、本発明にかかる駐車位置表示システムの第２の実施の形態について説明する。本実施の形態は、周期的に車両の駐車位置を検出しておくことにより、利用者が券番号を入力してから、上記利用者の車両の駐車位置を表示するまでの時間を短くすることを特徴とする。
【００５６】
〔第２の実施の形態の構成〕
本実施の形態は、駐車位置表示装置１の代わりに、図１１に示す駐車位置表示装置１ａを利用することにより実現される。
【００５７】
駐車位置表示装置１ａと、図６に示した駐車位置表示装置１との相違点は、券番号読み取り手段１０３の代わりに券番号読み取り手段１０３ａを備えている点、質問手段１０４の代わりに質問手段１０４ａを備えている点、読み取り結果記憶部１０７の代わりに読み取り結果記憶部１０７ａを備えている点、駐車位置判定手段１１１が追加されている点、駐車位置記憶部１１２が追加されている点、および駐車位置表示手段１１３が追加されている点である。
【００５８】
質問手段１０４ａは、駐車位置判定手段１１１から処理完了が通知される毎に、各駐車位置センサ３−１〜３−ｎの読み取り結果と受信レベルとを対応付けて読み取り結果記憶部１０７ａの該当する領域に登録し、その後、駐車位置判定手段１１１を起動する機能を有する。図１２に読み取り結果記憶部１０７ａの構成例を示す。読み取り結果記憶部１０７との相違点は、処理済みフラグが設けられている点である。この処理済みフラグは、駐車位置判定手段１１１によって該当する領域の処理が完了したときに“０”から“１”に変更される。
【００５９】
駐車位置判定手段１１１は、質問手段１０４ａから起動されることにより、読み取り結果記憶部１０７ａの内容に基づいて、複数の駐車位置センサによって読み取られている券番号に対応する車両の駐車位置を、上記複数の駐車位置センサの内の、最も受信レベルが高い駐車位置センサの設置位置と特定し、１台の駐車位置センサによってのみ読み取られている券番号に対応する車両の駐車位置を、上記駐車位置センサの設置位置と特定し、券番号と特定した駐車位置に関連する情報（本実施の形態では、センサ番号とする）とを対応付けて駐車位置記憶部１１２に登録する機能や、上記処理が完了した後、質問手段１０４ａに対して処理完了を通知する機能を有する。図１３に駐車位置記憶部１１２の内容例を示す。同図に示すように、駐車位置記憶部１１２は、ｎ個の領域＃１〜＃ｎから構成されており、各領域＃１〜＃ｎはそれぞれ駐車位置センサ３−１〜３−ｎに対応する領域となっている。同図の例において、第１番目の領域＃１は、センサ番号ＳＥＮ１の駐車位置センサ３−１の設置位置に、券番号Ｋ１に対応する車両が駐車していることを示している。
【００６０】
駐車位置表示手段１１３は、券番号読み取り手段１０３ａから券番号が入力されることにより、駐車位置記憶部１１２の内容とセンサ番号表示位置対応テーブル１０９の内容とに基づいて、図５に示すように、表示部１０１に組み込まれている駐車場内地図上に、星印の駐車マークで該当車両の駐車位置を表示する機能を有する。
【００６１】
なお、駐車位置表示装置１ａはコンピュータによって実現可能なものであり、コンピュータによって実現する場合は、例えば、次のようにする。コンピュータを駐車位置表示装置１ａとして機能させるためのプログラムを記録したディスク，半導体メモリ，その他の記録媒体を用意し、コンピュータに上記プログラムを読み取らせる。コンピュータは、読み取ったプログラムに従って自身の動作を制御することにより、自コンピュータ上に質問手段１０４ａ，駐車位置判定手段１１１，駐車位置表示手段１１３を実現する。
【００６２】
〔第２の実施の形態の動作〕
次に本実施の形態の動作について詳細に説明する。
【００６３】
質問手段１０４ａは、図１４のフローチャートに示すように、第１番目の駐車位置センサ３−１に対して質問信号を送信し（ステップＳ１４１，Ｓ１４２）、これに応答して駐車位置センサ３−１から読み取り結果が返却されると、読み取り結果と、その受信レベルと、処理済みフラグ＝“０”とを、読み取り結果記憶部１０７ａの第１番目の領域＃１に格納する（ステップＳ１４３）。以下、第２番目〜第ｎ番目の駐車位置センサ３−２〜３−ｎに対して同様の処理を行い（ステップＳ１４２〜Ｓ１４４）、第ｎ番目の駐車位置センサ３−ｎに対する処理が完了すると（ステップＳ１４５がＹＥＳ）、駐車位置判定手段１１１を起動し（ステップＳ１４６）、駐車位置判定手段１１１から処理完了が通知されるのを待つ（ステップＳ１４７）。
【００６４】
駐車位置判定手段１１１は、質問手段１０４ａから起動されると、図１５のフローチャートに示すように、読み取り結果記憶部１０７ａの第１番目の領域＃１に注目し、処理済みフラグが“１”になっているか否かを調べる（ステップＳ１０５１〜Ｓ１５０３）。
【００６５】
そして、処理済みフラグが“１”になっている場合（ステップＳ１５０３がＹＥＳ）は、第２番目の領域＃２に注目する（Ｓ１５１０，Ｓ１５０２）。
【００６６】
これに対して、処理済みフラグが“０”になっている場合（ステップＳ１５０３がＮＯ）は、処理済みフラグを“１”に変更した後、注目領域＃１に券番号が格納されているか否かを調べる（ステップＳ１５０４，Ｓ１５０５）。なお、項目「券番号」には、券番号か、読み取り失敗を示す情報が格納されている。
【００６７】
そして、券番号が格納されていなかった場合（ステップＳ１５０５がＮＯ）は、駐車位置記憶部１１２の第１番目の領域＃１に、券番号なしを示す情報を格納した後、読み取り結果記憶部１０７ａの第２番目の領域＃２に注目する（Ｓ１５０９，Ｓ１５１０，Ｓ１５０２）。
【００６８】
これに対して、注目領域＃１に券番号が格納されている場合（ステップＳ１５０５がＹＥＳ）は、先ず、注目領域＃１と同一券番号が格納されている領域を、読み取り結果記憶部１０７ａから検索し、検索した各領域の処理済みフラグを“０”から“１”に変更する（ステップＳ１５０６）。次いで、注目領域＃１と、ステップＳ１５０６で検索した各領域の中から、そこに記録されている受信レベルが最も高い領域を１つ選択する（ステップＳ１５０７）。その後、選択した領域中の券番号を、駐車位置記憶部１１２上の上記選択した領域と対応する領域に格納する（ステップＳ１５０８）。今、例えば、ステップＳ１５０７において、読み取り結果記憶部１０７ａ上の第１番目の領域（第１番目の駐車位置センサ３−１に対応する領域）を選択したとすると、そこに記録されている券番号を、駐車位置記憶部１１２の第１番目の領域（第１番目の駐車位置センサ３−１に対応する領域）に格納することになる。その後、駐車位置判定手段１１１は、第２番目の領域＃２に注目し（ステップＳ１５１０，Ｓ１５０２）、前述した処理と同様の処理を行う（ステップＳ１５０４〜Ｓ１５０８）。
【００６９】
そして、読み取り結果記憶部１０７ａ上の全ての領域＃１〜＃ｎに対して上記した処理を行うと（ステップＳ１５１１がＹＥＳ）、駐車位置判定手段１１１は、質問手段１０４ａに対して処理完了を通知し（ステップＳ１５１２）、その処理を終了する。
【００７０】
一方、質問手段１０４ａは、駐車位置判定手段１１１から処理完了が通知されると（図１４のステップＳ１４７がＹＥＳ）、前述したステップＳ１４１〜Ｓ１４６の処理を再び行う。以上の処理が、質問手段１０４ａと駐車位置判定手段１１１において常時行われ、駐車位置記憶部１１２には、最新の駐車位置を示す情報が常に格納されている。
【００７１】
次に、利用者が駐車場に戻ってきた場合の動作について説明する。
【００７２】
利用者は、駐車場に戻ってきた場合、駐車位置表示装置１ａの挿入口１０２に番号券５を挿入する。券番号読み取り手段１０３ａは、番号券５が挿入されると、それに記録されている券番号を読み取り、駐車位置表示手段１１３に渡す。
【００７３】
駐車位置表示手段１１３は、券番号読み取り手段１０３ａから券番号が渡されると、上記券番号をキーにして駐車位置記憶部１１２を検索し、上記券番号に対応付けて登録されているセンサ番号を取得する（図１６のステップＳ１６１）。その後、駐車位置表示手段１１３は、ステップＳ１６１で取得したセンサ番号をキーにしてセンサ番号表示位置対応テーブル１０９を検索し、駐車マークの表示位置を取得し、図５に示すように、上記表示位置に駐車マークを表示する（ステップＳ１６２，Ｓ１６３）。
【００７４】
〔第２の実施の形態の効果〕
本実施の形態によれば、第１の実施の形態の効果に加え、利用者が券番号を入力してから、上記利用者の車両の駐車位置を表示するまでの時間を短くすることができるという効果を得ることができる。
【００７５】
その理由は、質問手段１０４ａが周期的に駐車位置センサ３−１〜３−ｎの読み取り結果と受信レベルとを対応付けて読み取り結果記憶部１０７ａに格納し、駐車位置判定手段１１１が、質問手段１０４ａによって各駐車位置センサ３−１〜３−ｎの読み取り結果および受信レベルが読み取り結果記憶部１０７ａに格納される毎に、読み取り結果記憶部１０７ａの内容に基づいて、各券番号に対応する車両の駐車位置を特定し、駐車位置記憶部１１２に、券番号と特定した駐車位置に関連する情報（例えば、センサ番号）とを対応付けて駐車位置記憶部１１２に格納しているからである。
【産業上の利用可能性】
【００７６】
本発明は、大規模駐車場に適用すると好適である。
【図面の簡単な説明】
【００７７】
【図１】本発明にかかる駐車位置表示システムの第１の実施の形態の全体構成例を示すブロック図である。
【図２】駐車券発券機２の外観を示す図である。
【図３】駐車券発券機２の構成例を示すブロック図である。
【図４】駐車位置センサ３−１の設置位置の一例を示す図である。
【図５】駐車位置表示装置１の外観を示す図である。
【図６】駐車位置表示装置１の構成例を示すブロック図である。
【図７】読み取り結果記憶部１０７の内容例を示す図である。
【図８】センサ番号表示位置対応テーブル１０９の内容例を示す図である。
【図９】質問手段１０４の処理例を示すフローチャートである。
【図１０】駐車位置表示手段１０８の処理例を示すフローチャートである。
【図１１】本発明の第２の実施の形態で利用する駐車位置表示装置１ａの構成例を示すブロック図である。
【図１２】読み取り結果記憶部１０７ａの内容例を示す図である。
【図１３】駐車位置記憶部１１２の内容例を示す図である。
【図１４】質問手段１０４ａの処理例を示すフローチャートである。
【図１５】駐車位置判定手段１１１の処理例を示すフローチャートである。
【図１６】駐車位置表示手段１１３の処理例を示すフローチャートである。
【符号の説明】
【００７８】
１，１ａ…駐車位置表示装置
１０１…表示部
１０２…挿入口
１０３，１０３ａ…券番号読み取り手段
１０４，１０４ａ…質問手段
１０５…送受信手段
１０６…切り替え手段
１０７，１０７ａ…読み取り結果記憶部
１０８…駐車位置表示手段
１０９…センサ番号表示位置対応テーブル
１１０…券番号レジスタ
１１１…駐車位置判定手段
１１２…駐車位置記憶部
１１３…駐車位置表示手段
２…駐車券発券機
２１…発券ボタン
２２…発券制御手段
２３…券番号記憶部
２４…印字手段
２５…書き込み手段
２６…駐車券ストア部
２７…番号券ストア部
２８…搬送手段
２９…発券口
３−１〜３−ｎ…駐車位置センサ
３１…車両
３２…車止め
４…駐車券
４１…無線ＩＣタグ
５…番号券
【図１】
2006236027.tif 000003
【図２】
2006236027.tif 000004
【図３】
2006236027.tif 000005
【図４】
2006236027.tif 000006
【図５】
2006236027.tif 000007
【図６】
2006236027.tif 000008
【図７】
2006236027.tif 000009
【図８】
2006236027.tif 000010
【図９】
2006236027.tif 000011
【図１０】
2006236027.tif 000012
【図１１】
2006236027.tif 000013
【図１２】
2006236027.tif 000014
【図１３】
2006236027.tif 000015
【図１４】
2006236027.tif 000016
【図１５】
2006236027.tif 000017
【図１６】
2006236027.tif 000018